(57)【特許請求の範囲】
【請求項１】
軌道面を有する内輪と、
軌道面を有する外輪と、
前記内輪の軌道面及び前記外輪の軌道面の間に転動自在に配された複数の転動体と、
前記内輪及び前記外輪の間で前記複数の転動体を保持する樹脂製の保持器と、
を備え、
前記保持器は、環状ベース部と、環状ベース部の軸方向一端面に形成された複数のポケットと、を備え、複数のポケットが前記複数の転動体を保持する冠型保持器であり、
前記保持器の重心の軸方向位置と前記ポケットのそれぞれの球状もしくは円筒状の内面の曲率中心との間の軸方向距離は、前記内面の曲率半径の０．６５倍以上１．１倍以下であり、
前記内輪の軌道面及び前記外輪の軌道面は、内輪と外輪の軸方向幅の中央位置から軸方向の一方側にオフセットされた位置に配置される玉軸受。
【請求項２】
軌道面を有する内輪と、
軌道面を有する外輪と、
前記内輪の軌道面及び前記外輪の軌道面の間に転動自在に配された複数の転動体と、
前記内輪及び前記外輪の間で前記複数の転動体を保持する樹脂製の保持器と、
を備え、
前記保持器は、環状ベース部と、環状ベース部の軸方向一端面に形成された複数のポケットと、を備え、複数のポケットが前記複数の転動体を保持する冠型保持器であり、
前記保持器の重心の軸方向位置と前記ポケットのそれぞれの球状もしくは円筒状の内面の曲率中心との間の軸方向距離は、前記内面の曲率半径の０．６倍以上であり、
前記ポケットのそれぞれは、前記内面の縁部を面取りして形成した面取り部を備え、
前記面取り部の径方向長さが、前記内面の曲率半径の２．５％以上である玉軸受。
【請求項３】
軌道面を有する内輪と、
軌道面を有する外輪と、
前記内輪の軌道面及び前記外輪の軌道面の間に転動自在に配された複数の転動体と、
前記内輪及び前記外輪の間で前記複数の転動体を保持する樹脂製の保持器と、
を備え、
前記保持器は、環状ベース部と、環状ベース部の軸方向一端面に形成された複数のポケットと、を備え、複数のポケットが前記複数の転動体を保持する冠型保持器であり、
前記保持器の重心の軸方向位置と前記ポケットのそれぞれの球状もしくは円筒状の内面の曲率中心との間の軸方向距離は、前記内面の曲率半径の０．６倍以上であり、
前記ポケットのそれぞれに関して、ポケットによって保持される転動体とポケットの内面とが径方向最内方側で接触する接触点と前記転動体の中心とを結ぶ直線と、径方向に直交して前記転動体の中心を通る直線とがなす角度は、３０°以上である玉軸受。
【発明の詳細な説明】
【技術分野】
【０００１】
本発明は、玉軸受及びハイブリッド車用変速機に関する。
【背景技術】
【０００２】
図４２は、各種回転部分を支持するために広く使用されている第1の従来例に係る玉軸受を示している。この玉軸受は、外周面に内輪軌道１０１を有する内輪１０２と、内周面に外輪軌道１０３を有する外輪１０４と、が同心に配され、内輪軌道１０１と外輪軌道１０３との間に複数の玉１０５が転動自在に配された構造を有している。【０００３】
複数の玉１０５は、図４３，４４に示すような保持器１０７に転動自在に保持されている。保持器１０７は、冠型保持器と呼ばれるもので、合成樹脂を射出成形することにより一体に形成されている。保持器１０７は、円環状のベース部１０８と、ベース部１０８の軸方向一端面に設けられた複数のポケット１０９と、を備えている。各ポケット１０９は、ベース部１０８の軸方向一端面に設けられた凹部１１０と、凹部１１０の縁に互いに間隔をあけ対向して配置された１対の弾性片１１１とから形成されている。この１対の弾性片１１１の互いに対向する面と凹部１１０の内面とは、連続して１つの球状凹面又は円筒面を形成している。【０００４】
保持器１０７は、弾性片１１１の間隔を弾性的に押し広げつつ、１対の弾性片１１１の間に玉１０５を押し込むことにより、各ポケット１０９内に玉１０５を転動自在に保持する。【０００５】
保持器１０７は、例えば、ナイロン４６、ナイロン６６、ポリフェニレンサルファイド（ＰＰＳ）、ポリ四弗化エチレン（ＰＴＦＥ）、ポリエーテルエーテルケトン（ＰＥＥＫ）等の合成樹脂により形成されている。また、これらの合成樹脂中にガラス繊維（ＧＦ）、炭素繊維（ＣＦ）等の補強材を１０〜４０質量％程度含有させることにより、高温下での靱性及び機械的強度を高められることが知られている。【０００６】
このような玉軸受は、高温，高速等の過酷な条件下で使用される場合が多くなっている。例えば、ハイブリッド車用の駆動モータやオルタネータの回転支持部分に組み込まれる玉軸受の場合は、高温（１００℃以上）且つ高速（回転速度１００００ｍｉｎ−１以上又はｄｍｎ６０万以上）で使用される場合が多い。なお、ｄｍｎのｄｍは軸受ピッチ円径（単位はｍｍ）であり、ｎは軸受の回転速度（単位はｍｉｎ−１）である。このような使用条件下においては、玉軸受内の保持器１０７は、内輪１０２の外周面と外輪１０４の内周面との間に存在する潤滑油やグリースと共に高速で回転する。そして高速回転時の保持器１０７には、遠心力に基づく径方向外方に向く力、玉１０５の公転に基づく拘束力（回転方向の力）、潤滑油やグリースの攪拌抵抗等が組み合わされた複雑な力が加わる。【０００７】
このような複雑な力によって保持器１０７は不規則な運動を繰り返し、衝撃を伴なう複雑な外部応力を受ける。よって、上記のような高速の使用条件下で長時間運転を継続すると、遠心力の作用により弾性変形又は塑性変形する。高温になると、これらの変形は促進されやすい。その結果、各ポケット１０９の内面と各玉１０５の転動面との間の隙間のバラツキが大きくなる。さらには、各ポケット１０９の内面が、玉１０５の転動面から受ける力も加わって摩耗する。そして、この隙間が大きくなると、次のような問題を生じる。【０００８】
第一に、玉軸受の回転に伴って保持器１０７が細かく振動し、各ポケット１０９の摩耗を更に促進するだけでなく、有害な振動や騒音を発生する。第二に、玉１０５による保持器１０７の拘束が解かれる結果、保持器１０７が部分的に又は全体的に変位したり、偏心したりして、保持器１０７の一部が内輪１０２、もしくは外輪１０４と擦れ合う。【０００９】
例えば、ポケット１０９の弾性片１１１が、遠心力に基づいて径方向外方に変位し（図４５を参照）、各弾性片１１１の外周面と外輪１０４の内周面とが擦れ合う。このような擦れ合いが生じると、軸受の引きずりトルクが上昇したり保持器１０７が破断したりするおそれがある。また、摩耗がさらに進行すると、保持器１０７が軸受から外れて軸受が分解し、軸受ユニットに重大な損傷が発生するおそれがある。【００１０】
このような問題を解決するため、金属製の補強部材を備えた樹脂製保持器が提案されている（例えば、日本国特開平８−１４５０６１号公報及び日本国特開平９−７９２６５号公報参照）。金属製の補強部材により保持器の剛性が高められるので、高温，高速条件下で使用されても前述のような変形が生じにくくなっている。【００１１】
しかしながら、樹脂製保持器に金属製の補強部材を設けるため、玉軸受の製造コストアップの要因になる。【００１２】
第２従来例の玉軸受は、図４６に示すように、外周面に内輪軌道面２０１ａ（軌道溝）を有する内輪２０１と、内周面に外輪軌道面２０２ａ（軌道溝）を有する外輪２０２と、内輪軌道面２０１ａと外輪軌道面２０２ａとの間に転動自在に配置された複数の玉２０３と、円環状のベース部２０４ａ及びベース部２０４ａの片方の軸方向端面に突設され、先端に爪部を備えた柱部２０４ｂを有し、該柱部２０４ｂ間に形成された球面ポケット２０４ｃに玉２０３を収容する樹脂製の冠型保持器２０４と、を有する。玉２０３は、冠型保持器２０４によって円周方向に所定の間隔で保持され、保持器２０４と共に公転する。【００１３】
このような玉軸受は、例えば、自動車の変速機等の回転部に使用される場合、ポンプ等で潤滑油を供給する強制潤滑方式で使用されることが多く、潤滑油は軸受の内部を軸方向に貫通して流れ、変速機ユニット内を循環及び潤滑している。【００１４】
この玉軸受を高速回転させると、遠心力により、図４７Ａ及び４７Ｂに示すように、冠型保持器２０４のベース部２０４ａを捩れ軸として、柱部２０４ｂが外径側に開く。その結果、冠型保持器２０４の球面ポケット２０４ｃの内径側と玉２０３との接触面圧が増大し、ポケット２０４ｃの内径側部分２０４ｐが摩耗し、発熱が大きくなる。【００１５】
ポケット２０４ｃの内径側部分２０４ｐの摩耗が進行すると、冠型保持器２０４の振れ回りが大きくなり、冠型保持器２０４が振動する。さらには、図４８に示すように、冠型保持器２０４の外径側と外輪２０２の内周面とが接触して、柱部２０４ｂが摩耗し、最悪の場合は保持器２０４が破損する場合もある。【００１６】
一方、図４９Ａ及び４９Ｂに示すように、冠型保持器２０４の球面ポケット２０４ｃの中心Ｏｃを冠型保持器２０４の径方向幅の中心Ｔ１よりも外径側に配置、つまり、冠型保持器２０４の径方向の全幅寸法をＱとした場合に、球面ポケット２０４ｃの中心Ｏｃより外側の幅Ｑ２よりも内側の幅Ｑ１を大きくして、内径側の玉抱え込み量を大きく確保することで、冠型保持器２０４の外径側への捩れ変形を抑制することが提案されている（例えば、日本国実開平５−３４３１７号公報参照）。【００１７】
しかしながら、図４９Ａ及び４９Ｂに示した玉軸受において、軸受を高速回転させたときには、球面ポケット２０４ｃの内径側が遠心力によって潤滑油不足になることで摩耗し、最終的には捩れ変形を抑えられなくなり、上記した振れ回りによる問題が発生する虞がある。【００１８】
また、冠型保持器２０４の内周部に潤滑油を供給するため、内輪２０１側に直接潤滑油ノズルを近づけて配置することが考えられる。しかしながら、この場合、潤滑ノズルが別途必要であり、潤滑ノズルを設置するスペースも必要となる。
【発明の概要】
【００１９】
本発明は、前述の問題の一以上に対応することを目的とする。
【００２０】
本発明の一態様によれば、玉軸受は、軌道面を有する内輪と、軌道面を有する外輪と、内輪の軌道面及び外輪の軌道面の間に転動自在に配された複数の転動体と、内輪及び外輪の間で複数の転動体を保持する樹脂製の保持器と、を備える。保持器は、環状ベース部と、環状ベース部の軸方向一端面に形成された複数のポケットと、を備え、複数のポケットが前記複数の転動体を保持する冠型保持器である。保持器の重心の軸方向位置とポケットのそれぞれの球状もしくは円筒状の内面の曲率中心との間の軸方向距離は、内面の曲率半径の０．６倍以上である。
【００２１】
本発明の別の態様によれば、ハイブリッド車用変速機は、上記玉軸受を備える。
【００２２】
本発明の他の態様、及び効果は、以下の記載、図面、並びに請求項より明らかとなる。
【図面の簡単な説明】
【００２３】
【図１】本発明の第１実施例に係る玉軸受の部分断面図である。
【図２】図１の玉軸受の保持器の斜視図である。
【図３】図２の保持器の部分断面図である。
【図４】保持器の径方向厚さの中央位置を示す玉軸受の部分断面図である。
【図５】保持器の重心の軸方向位置と保持器に作用するモーメントとの関係を示すグラフである。
【図６】玉軸受の内輪と保持器との径方向隙間の例を示す説明図である。
【図７】玉軸受の内輪と保持器との径方向隙間の他の例を示す説明図である。
【図８】玉軸受の軸方向端部と保持器との軸方向距離の例を示す説明図である。
【図９】玉軸受の軸方向端部と保持器との軸方向距離の他の例を示す説明図である。
【図１０】第１実施例の第１変形例に係る玉軸受の部分断面図である。
【図１１】第１実施例の第２変形例に係る玉軸受の部分断面図である。
【図１２】第１実施例の第３変形例に係る玉軸受の部分断面図である。
【図１３】本発明の第２実施例に係る玉軸受の部分断面図である。
【図１４】図１３の玉軸受の保持器の斜視図である。
【図１５】図１４の保持器の部分断面図である。
【図１６】保持器の径方向厚さの中央位置の例を示す第２実施例の玉軸受の部分断面図である。
【図１７】第２実施例の玉軸受の内輪と保持器との径方向隙間の例を示す説明図である。
【図１８】第２実施例の玉軸受の内輪と保持器との径方向隙間の例の例を示す説明図である。
【図１９】第２実施例の玉軸受の軸方向端部と保持器との軸方向距離の例を示す説明図である。
【図２０】第２実施例の玉軸受の軸方向端部と保持器との軸方向距離の他の例を示す説明図である。
【図２１】第２実施例の第１変形例に係る玉軸受の部分断面図である。
【図２２】第２実施例の第２変形例に係る玉軸受の部分断面図である。
【図２３】第２実施例の第３変形例に係る玉軸受の部分断面図である。
【図２４】保持器のポケットの径方向内側縁部が面取りされている構成の説明図である。
【図２５】保持器のポケットの径方向内側縁部が面取りされていない構成の説明図である。
【図２６】保持器の径方向厚さの中央位置が玉の中心と一致する構成の説明図である。
【図２７】面取り量と破片の脱落しやすさとの関係を示すグラフである。
【図２８】玉とポケットの径方向最内方接触点と玉の中心とを結ぶ直線と、玉の中心を通って径方向と直交する直線と、がなす角度θを示す説明図である。
【図２９】図２４に示される構成において、玉とポケットの径方向最内方接触点と玉の中心とを結ぶ直線と、玉の中心を通って径方向と直交する直線と、がなす角度θを示す説明図である。
【図３０】角度θと保持器の径方向の移動量との関係を示すグラフである。
【図３１】本発明の第３実施例に係る玉軸受の断面図である。
【図３２】冠型保持器の構成例を示す斜視図である。
【図３３Ａ】保持器の径方向幅の中心位置が玉の中心より内径側に偏っている構成を示す図である。
【図３３Ｂ】保持器の径方向幅の中心位置が玉の中心と一致する構成を示す図である。
【図３４Ａ】保持器の球面ポケットの内周部のエッジに曲面を付けた構成を示す図である。
【図３４Ｂ】保持器の球面ポケットの内周部のエッジを面取りした構成を示す図である。
【図３４Ｃ】保持器の球面ポケットの内周部のエッジを面取りした他の構成を示す図である。
【図３５】本発明の第３実施例の第１変形例の玉軸受の要部断面図である。
【図３６Ａ】第３実施例の第２変形例に係る玉軸受の断面図である。
【図３６Ｂ】第３実施例の第３変形例に係る玉軸受の断面図である。
【図３６Ｃ】第３実施例の第４変形例に係る玉軸受の断面図である。
【図３６Ｄ】第３実施例の第５変形例に係る玉軸受の断面図である。
【図３６Ｅ】第３実施例の第６変形例に係る玉軸受の断面図である。
【図３７Ａ】第３実施例の第７に係る玉軸受の断面図である。
【図３７Ｂ】第３実施例の第８変形例に係る玉軸受の断面図である。
【図３７Ｃ】第３実施例の第９変形例に係る玉軸受の断面図である。
【図３７Ｄ】第３実施例の第１０変形例に係る玉軸受の断面図である。
【図３８】試験１及び試験２に使用される玉軸受の断面図である。
【図３９】試験１の結果を示すグラフである。
【図４０】試験２の結果を示すグラフである。
【図４１】試験３の結果を示すグラフである。
【図４２】第１の従来例に係る玉軸受の部分断面図である。
【図４３】図４２の玉軸受の保持器の斜視図である。
【図４４】図４３の保持器の部分平面図である。
【図４５】弾性片が径方向外方に変形した保持器の側面図である。
【図４６】第２従来例に係る玉軸受の部分断面図である。
【図４７Ａ】第２従来例の保持器の軸方向断面図である。
【図４７Ｂ】第２従来例の保持器の円周方向断面図である。
【図４８】第２従来例の保持器が摩耗した場合の問題点を説明するための図である。
【図４９Ａ】第２従来例の保持器の部分断面図である。
【図４９Ｂ】第２従来例の保持器の部分側面図である。
【発明を実施するための形態】
【００２４】
以下、本発明の実施例について、図面を参照して詳細に説明する。
【実施例１】
【００２５】
図１は、本発明の第１実施例に係る玉軸受の部分縦断面図である。図２は、図１の玉軸受の保持器の斜視図であり、図３は、図２の保持器の部分断面図である。【００２６】
図１に示されるように、第１実施例の玉軸受は、内輪１と、外輪２と、内輪１及び外輪２の間に転動自在に配された複数の玉３（転動体）と、内輪１及び外輪２の間で複数の玉３を保持する樹脂製の保持器４と、を備えている。内輪１と外輪２との間で玉３が配された軸受空間には、図示しない潤滑剤（例えば潤滑油やグリース）が初期潤滑用に充填されるか、もしくは潤滑剤が供給される。潤滑剤により、内輪１及び外輪２の軌道面と玉３との接触面が潤滑される。潤滑剤としては、潤滑油の一つであるＡＴＦが通常用いられる。【００２７】
内輪１及び外輪２の素材は特に限定されるものではないが、ＳＵＪ２等の軸受鋼が好ましく、特に浸炭処理又は浸炭窒化処理を施した軸受鋼がより好ましい。中炭素鋼にケイ素，マンガン，クロム，モリブデン等の合金元素を添加した合金鋼に、浸炭処理又は浸炭窒化処理を施した素材を使用することもできる。特に、軸受が高速且つ高温条件下で使用される場合には、合金鋼の中でもケイ素の添加量を多くした合金鋼に浸炭処理又は浸炭窒化処理を施した素材が好ましい。【００２８】
玉３の素材も特に限定されるものではなく、例えば、内輪１及び外輪２と同様の軸受鋼や合金鋼、あるいはセラミックを好適に使用することができる。【００２９】
次に、保持器４の構造について、図２及び３を参照しながら説明する。保持器４は、樹脂材料を射出成形することにより一体に形成された冠型保持器である。保持器４は、円環状のベース部１０と、ベース部１０の軸方向一端面に設けられ、玉３を転動自在に保持する複数のポケット１１を備えている。各ポケット１１は、ベース部１０の軸方向一端面に設けられた凹部１１ａと、凹部１１ａの縁に互いに間隔をあけ対向して配置された１対の弾性片１１ｂとから形成されている。この１対の弾性片１１ｂの互いに対向する面と凹部１１ａの内面とは、連続して１つの球状凹面もしくは円筒面を形成している。【００３０】
保持器４を構成する樹脂材料の種類は、保持器に必要な強度，耐熱性等の特性を有しているならば特に限定されるものではないが、ナイロン４６、ナイロン６６、ポリフェニレンサルファイド（ＰＰＳ）、ポリ四弗化エチレン（ＰＴＦＥ）、ポリエーテルエーテルケトン（ＰＥＥＫ）等の合成樹脂が好ましい。樹脂中にガラス繊維（ＧＦ）、炭素繊維（ＣＦ）等の補強材を１０〜４０質量％程度含有させた樹脂組成物は、高温下での靱性及び機械的強度が高いことから特に好ましい。【００３１】
保持器４の重心Ｇの軸方向位置とポケット１１の球状もしくは円筒状の内面の曲率中心Ｏ１１との間の軸方向距離Ａは、ポケット１１の内面の曲率半径ｒの０．６倍以上０．９倍以下とされている。この構成であれば、玉軸受が高温（１００℃以上）且つ高速（回転速度１００００ｍｉｎ−１以上、ｄｍｎ６０万以上若しくはｄｍｎ１００万以上）で使用されても、保持器４に変形が生じにくい。よって、保持器４を有する玉軸受は高温，高速条件下で好適に使用可能であり、例えばハイブリッド車用の駆動モータやジェネレータ（例えばオルタネータ）の回転軸を支承する軸受として好適である。また、保持器４が金属製の補強部材を備えていないので、玉軸受を安価に製造することができる。【００３２】
保持器４の重心Ｇの軸方向位置とポケット１１の内面の曲率中心Ｏ１１との間の軸方向距離Ａの範囲について、図３を参照しながらさらに詳細に説明する。玉軸受が高温，高速条件下で使用されて保持器４に大きな遠心力が作用すると、ポケット１１の弾性片１１ｂが径方向外方に変形する。これは、弾性片１１ｂが片持ち構造であるために、遠心力が保持器４の剛性中心Ｓを支点として保持器４の重心Ｇの軸方向位置にモーメントとして作用するからである。剛性中心Ｓは、ベース部１０の軸方向他端面（ベース部１０の軸方向両端面のうちポケット１１が形成されていない方の端面）とポケット１１の底部とのほぼ中間位置にある。【００３３】
したがって、保持器４の重心Ｇの軸方向位置が剛性中心Ｓの近傍に位置するようにすれば、大きな遠心力が保持器４に作用しても前記モーメントが小さくなるため、ポケット１１の弾性片１１ｂが径方向外方に変形してベース部１０が捩り変形することを抑制することができる。すなわち、図４５に示すような大きな変形が保持器に生じることを抑制することができる。【００３４】
保持器４の重心Ｇの軸方向位置とポケット１１の内面の曲率中心Ｏ１１との間の軸方向距離Ａを、ポケット１１の内面の曲率半径ｒの０．６倍以上０．９倍以下とすれば、保持器４の重心Ｇの軸方向位置と剛性中心Ｓとが近い位置となるため、遠心力が保持器４に作用しても弾性片１１ｂの径方向外方への変形が抑制される。ベース部１０の軸方向他端面とポケット１１の底部との間の長さ、すなわちベース部１０の厚さＢを大きくしていくと、保持器４の重心Ｇの軸方向位置はベース部１０の軸方向他端面の方向へ移動し、前記軸方向距離Ａは大きくなる。すなわち、保持器４の重心Ｇの軸方向位置が剛性中心Ｓに近づく。【００３５】
前記軸方向距離Ａが曲率半径ｒの０．６倍未満であると、保持器４の重心Ｇの軸方向位置に作用するモーメントが大きくなり、保持器４に変形が生じるおそれがある。一方、前記軸方向距離Ａが曲率半径ｒの０．９倍超過であると、保持器４の幅（軸方向長さ）が大きくなって、玉軸受がシール部材を有する場合には保持器４とシール部材とが接触するおそれがある。また、玉軸受がシール部材を有していない場合でも、保持器４が玉軸受の側面から外側に突出するおそれがある。このような不都合がより生じにくくするためには、前記軸方向距離Ａを曲率半径ｒの０．６５倍以上０．８５倍以下とすることが好ましく、０．７５倍以上０．８５倍以下とすることがより好ましい。【００３６】
さらに、保持器４は、図４に示すように、その径方向厚さの中央位置が玉３の中心よりも径方向内方に位置するような構造となっている。このような構造を有することによって保持器４の剛性が向上するため、遠心力による保持器４の変形が抑制される。【００３７】
玉軸受を回転させた際に保持器に作用する遠心力に基づくモーメントの大きさを、計算した。結果を図５に示す。このグラフの縦軸は、保持器に作用するモーメントの大きさであり、横軸は、保持器の重心の軸方向位置とポケットの内面の曲率中心との間の軸方向距離の、ポケットの内面の曲率半径に対する割合である（グラフには、保持器の重心の軸方向位置と記してある）。このグラフから、前記軸方向距離Ａは、ポケットの内面の曲率半径の０．６倍以上であることが好ましく、０．６５倍以上であることがより好ましいく、最も好ましくは０．７５倍以上である。特に、ｄｍｎ１１３万、１７０万とｄｍｎが大きくなるほどモーメント抑制効果は顕著である。【００３８】
上述したように、保持器４は、その径方向厚さの中央位置が玉３の中心よりも径方向内方に位置するような構造となっている。そして、保持器４の径方向厚さの中央位置の直径が小さいほど、遠心力による保持器４の変形が生じにくい。【００３９】
ただし、保持器４の径方向厚さの中央位置の直径が小さすぎると、以下のような問題が発生するおそれが出てくる。【００４０】
ハイブリッド車用の駆動モータやジェネレータ（例えばオルタネータ）の回転軸を支承する玉軸受は、寒冷地で使用される場合には、軸受の温度が−４０℃程度の低温になることもある。樹脂製の保持器４は、金属製の内輪１よりも低温化により収縮しやすいので、保持器４の内径と内輪１の外径との差（以下、径方向隙間）がゼロとなり、軸受がロックして回転しなくなるおそれがある。【００４１】
したがって、軸受が常温から−４０℃に温度変化して保持器４及び内輪１が収縮しても、径方向隙間がゼロとならないように、常温時の径方向隙間の大きさを設定することが好ましい。すなわち、常温時の径方向隙間は、保持器４が常温から−４０℃に温度変化して収縮した場合の保持器４の内径の収縮量よりも大きいことが好ましい。【００４２】
保持器４の内径の収縮量は、保持器４の内径と、保持器４の素材の線膨張係数と、温度変化量との積により求めることができる。温度変化量は、例えば、常温と−４０℃との差であり、常温が２０℃である場合、温度変化量は６０℃となる。【００４３】
また、保持器４のポケット１１の内面の曲率半径ｒは、玉３の半径よりも僅かに大きいため、保持器４は径方向にガタつくことがある。このガタツキ量が大き過ぎると、保持器４の内周面と内輪１の外周面とが接触し、軸受のトルクが増大するおそれがある。【００４４】
したがって、保持器４が径方向にガタついても保持器４の内周面と内輪１の外周面とが接触しないように、前記径方向隙間は、保持器４の径方向のガタツキ量よりも大きくすることが好ましい。保持器の径方向のガタツキ量とは、保持器が径方向の一方向に移動することができる最大距離と、保持器が該一方向と１８０°反対方向へ移動することができる最大距離との和を意味する。【００４５】
また、ハイブリッド車用の駆動モータやジェネレータ（例えばオルタネータ）の回転軸を支承する玉軸受は、潤滑油により潤滑されることが多い。玉軸受が高速回転する場合には、軸受の軸方向端部の開口から軸受内部に導入された潤滑油が、遠心力により径方向外方に流れるため、保持器４の内周面と内輪１の外周面との間に潤滑油が入り込みにくく、潤滑が不十分となりやすい（図７参照）。その結果、保持器４に摩耗，焼付き，スキッディングが発生するおそれがある。【００４６】
したがって、前記径方向隙間を、玉３の直径の０．１５倍以上とすることが好ましく、０．２倍以上に設定することがより好ましい。そうすれば、図６に示されるように、保持器４の内周面と内輪１の外周面との間に潤滑油が入り込みやすく、潤滑が不十分となりにくい。これらを総合的に考えると、２０℃において、前記径方向隙間を、内輪１の外径寸法の２％以上１０％以下としておくのが好ましく、より好ましくは２％以上７％以下とする。【００４７】
なお、軸受の軸方向端部としては、保持器４のベース部１０のポケット１１が形成されている側の軸方向端面が向いている側の端部と、保持器４のベース部１０のポケット１１が形成されていない側の軸方向端面が向いている側の端部とがある。図６及び７においては、後者の端部の開口から潤滑油が軸受内部に導入される例が示されているが、反対側の端部の開口、すなわち前者の端部の開口から潤滑油が軸受内部に導入される場合も、上記と同様の効果が奏される。【００４８】
上述のように前記径方向隙間を十分に確保しても、図９に示されるような構造であると、大部分の潤滑油が保持器４の内周面と内輪１の外周面との間の隙間に辿り着く前に遠心力により径方向外方に流れるため、潤滑が不十分となるおそれがある。すなわち、図９に示されるように、軸受の軸方向端部と、保持器４のベース部１０のポケット１１が形成されていない側の軸方向端面との間に形成される空間の軸方向長さＬが大きいと、潤滑が不十分となるおそれがある。【００４９】
したがって、保持器４のベース部１０のポケット１１が形成されていない側の軸方向端面を、軸受の軸方向端部に近接させることが好ましい。具体的には、前記軸方向長さＬを玉３の直径の０．１５倍以下とすれば、図８に示すように、保持器４の内周面と内輪１の外周面との間に潤滑油が入り込みやすく、潤滑が良好となる。より具体的には、前記軸方向長さＬは、５ｍｍ以下が好ましく、より好ましくは２ｍｍ以下である。ただし、内輪１もしくは外輪２の端面から保持器４が突出しないようにすることが好ましい。そのため、保持器４のポケット１１と玉３との間の隙間による動き量を含めて、前記軸方向長さＬを０．１ｍｍ以上２ｍｍ以下とすることが最も好ましい。【００５０】
図１０は、第１実施例の第１変形例を示す。図１０に示されるように、上述のような潤滑不十分の問題に対応するために、軸受の軸方向端部の近傍に、該軸方向端部の開口から軸受内部に潤滑剤を導く潤滑剤ガイド２５を設けてもよい。そうすれば、保持器４の内周面と内輪１の外周面との間に潤滑油が入り込みやすく、潤滑が不十分となりにくい。図１０の例であれば、板状の潤滑剤ガイド２５が軸受の軸方向端面に取り付けられており、軸心給油で供給された潤滑油が潤滑剤ガイド２５で軸受内部に向かう方向に反射されて、軸受の軸方向端部の開口から軸受内部に導入される。【００５１】
なお、潤滑剤ガイド２５と同様の構造の部材を、潤滑剤ガイド２５を設けた側とは反対側の軸方向端部（すなわち、潤滑剤が軸受内部から流出する側の端部）の近傍に設けてもよい。このように上記部材を軸方向両端部に設けても、同様の効果が得られる。また、この潤滑剤ガイド２５は、一般的なシールド板やシールなどにより構成することもできる。この場合は、シールド板やシールの内周面と内輪１の外周面との間の隙間から、潤滑剤が導入されやすい。シールやシールド板等のシール部材は、軸方向両側に備えられていてもよいし、軸方向片側のみに備えられていてもよい。【００５２】
図１１は、第１実施例の第２変形例を示す。図１１に示される玉軸受において、潤滑剤は、軸受の軸方向一端部（保持器４のベース部１０のポケット１１が形成されていない側の軸方向端面が向いている側の端部）の開口から軸受内部に導入され、軸方向他端部（保持器４のベース部１０のポケット１１が形成されている側の軸方向端面が向いている側の端部）の開口から外部へ排出される。外輪２の肩の部分における外径は、潤滑剤導入側よりも潤滑剤排出側の方が大きい。この構成によれば、軸受の潤滑剤導入側の軸方向端部の開口から軸受内部に潤滑剤が引き込まれやすくなるので、軸受内部を通過する潤滑剤の量が増加する。【００５３】
なお、図１２に示される第１実施例の第３変形例のように、内輪１の肩の部分における外径を、潤滑剤導入側よりも潤滑剤排出側の方が大きしても、上記と同様の効果が得られる。また、内輪１と外輪２の両方について、肩の部分における外径を、潤滑剤導入側よりも潤滑剤排出側の方が大きくなるように設定してもよい。【００５４】
さらに、図１１及び１２においては、保持器４のベース部１０のポケット１１が形成されていない側の軸方向端面が向いている側の端部の開口から軸受内部に潤滑剤が導入される例が示されているが、反対側の端部の開口、すなわち、保持器４のベース部１０のポケット１１が形成されている側の軸方向端面が向いている側の端部の開口から軸受内部に潤滑剤が導入される場合も、上記と同様の効果が奏される。
【実施例２】
【００５５】
図１３は、本発明の第２実施例に係る玉軸受の部分縦断面図である。図１４は、図１３の玉軸受の保持器の斜視図であり、図１５は、図１４の保持器の部分断面図である。第２実施例の説明において、第１実施例と同じ又は同様の部分には第１実施例と同じ符号を付してある。また、第１実施例と同様の構成に関する詳細な説明は省略する。【００５６】
図１３の玉軸受は、内輪２１と、外輪２２と、内輪２１及び外輪２２の間に転動自在に配された複数の玉３（転動体）と、内輪２１及び外輪２２の間で複数の玉３を保持する樹脂製の保持器２４と、を備えている。内輪２１の軌道面２１ａ（軌道溝）及び外輪２２の軌道面２２ａ（軌道溝）は、内輪２１と外輪２２の軸方向幅中央位置から軸方向の一方側（図１３においては右側）にオフセットされた位置に配置されている。なお、オフセット量は、特に限定されるものではない。ただし、玉軸受の軸方向隙間を含めても、内輪１と外輪２２の少なくとも一方の軸方向端面から玉３が突出しないことが好ましい。【００５７】
内輪２１と外輪２２との間で玉３が配された軸受空間には、図示しない潤滑剤（例えば潤滑油やグリース）が充填されるか、もしくは潤滑剤が供給される。この潤滑剤により、内輪２１及び外輪２２の軌道面と玉３との接触面が潤滑されている。玉軸受は、シールやシールド等のシール部材を備えていてもよい。シール部材は、軸方向両側に備えられていてもよいが、軸方向片側のみに備えられていてもよい。【００５８】
内輪２１及び外輪２２の素材は特に限定されるものではないが、ＳＵＪ２等の軸受鋼が好ましく、特に浸炭処理又は浸炭窒化処理を施した軸受鋼がより好ましい。また、中炭素鋼にケイ素，マンガン，クロム，モリブデン等の合金元素を必要に応じて添加した合金鋼に、浸炭処理又は浸炭窒化処理を施した素材を使用することもできる。特に、軸受が高速且つ高温条件下で使用される場合には、上記合金鋼の中でもケイ素の添加量を多くした合金鋼に浸炭処理又は浸炭窒化処理を施した素材が好ましい。【００５９】
また、玉３の素材も特に限定されるものではなく、軸受鋼やセラミックを好適に使用することができる。【００６０】
次に、保持器２４の構造について、図１４及び１５を参照しながら説明する。保持器２４は、樹脂材料を射出成形することにより一体に形成された冠型保持器である。保持器２４は、円環状のベース部２０と、ベース部２０の軸方向一端面に設けられ、玉３を転動自在に保持する複数のポケット１１を備えている。【００６１】
各ポケット１１は、ベース部２０の軸方向一端面に設けられた凹部１１ａと、凹部１１ａの縁に互いに間隔をあけ対向して配置された１対の弾性片１１ｂとから形成されている。１対の弾性片１１ｂの互いに対向する面と凹部１１ａの内面とは、連続して１つの球状凹面もしくは円筒面を形成している。【００６２】
保持器２４は、軌道面２１ａ，２２ａがオフセットされた側（以下、オフセット側）、すなわち、図１３の右側にポケット１１を向け、オフセット側とは反対側（以下、反オフセット側）にベース部２０を向けて配されている。【００６３】
軌道面２１ａ，２２ａが内輪２１と外輪２２の軸方向幅の中央位置から軸方向の一方側にオフセットされた位置に配置されているので、軸受内部の反オフセット側（図１３においては左側）にはオフセット側と比べて大きな空間が形成されている。そのため、玉軸受がシール部材を有する場合には、保持器２４のベース部２０がシール部材に接触しにくい。また、保持器２４のベース部２０が軸受の軸方向端部の開口から外部に突出しにくい。さらに、軌道面２１ａ，２２ａが内輪２１と外輪２２の軸方向幅の中央位置に配置されている場合と比べて、保持器２４のベース部２０を軸方向に長い形状（図１３を参照）とすることが可能である。そのような形状とすれば、保持器２４の剛性が高められ変形が生じにくくなる。【００６４】
保持器２４を構成する樹脂材料の種類は、保持器に必要な強度，耐熱性等の特性を有しているならば特に限定されるものではないが、ナイロン４６、ナイロン６６、ポリフェニレンサルファイド（ＰＰＳ）、ポリ四弗化エチレン（ＰＴＦＥ）、ポリエーテルエーテルケトン（ＰＥＥＫ）等の合成樹脂が好ましい。そして、樹脂中にガラス繊維（ＧＦ）、炭素繊維（ＣＦ）等の補強材を１０〜４０質量％程度含有させた樹脂組成物は、高温下での靱性及び機械的強度が高いことから特に好ましい。【００６５】
保持器２４の重心Ｇの軸方向位置とポケット１１の球状もしくは円筒状の内面の曲率中心Ｏ１１との間の軸方向距離Ａは、ポケット１１の内面の曲率半径ｒの０．６倍以上１．２倍以下とされている。この構成であれば、玉軸受が高温（１００℃以上）且つ高速（回転速度１００００ｍｉｎ−１以上、ｄｍｎ６０万以上若しくはｄｍｎ１００万以上）で使用されても、保持器２４に変形が生じにくい。特に、ｄｍｎ１１０万以上の高速条件、さらにはｄｍｎ１５０万以上の超高速条件では顕著な効果を得ることができる。よって、この玉軸受は高温，高速条件下で好適に使用可能であり、例えばハイブリッド車用の駆動モータやジェネレータ（例えばオルタネータ）の回転軸を支承する軸受として好適である。また、保持器２４が金属製の補強部材を備えていないので、この玉軸受は安価に製造することができる。【００６６】
保持器２４の重心Ｇの軸方向位置とポケット１１の内面の曲率中心Ｏ１１との間の軸方向距離Ａの範囲について、図１５を参照しながらさらに詳細に説明する。玉軸受が高温，高速条件下で使用されて保持器２４に大きな遠心力が作用すると、ポケット１１の弾性片１１ｂが径方向外方に変形する。これは、弾性片１１ｂが片持ち構造であるために、遠心力が保持器２４の剛性中心Ｓを支点として保持器２４の重心Ｇの軸方向位置にモーメントとして作用するからである。剛性中心Ｓは、ベース部２０の軸方向他端面（ベース部２０の軸方向両端面のうちポケット１１が形成されていない方の端面）とポケット１１の底部とのほぼ中間位置にある。【００６７】
したがって、保持器２４の重心Ｇの軸方向位置が剛性中心Ｓの近傍に位置するようにすれば、大きな遠心力が保持器２４に作用しても前記モーメントが小さくなるため、ポケット１１の弾性片１１ｂが径方向外方に変形してベース部２０が捩り変形することを抑制することができる。すなわち、図４５に示すような大きな変形が保持器に生じることを抑制することができる。【００６８】
保持器２４の重心Ｇの軸方向位置とポケット１１の内面の曲率中心Ｏ１１との間の軸方向距離Ａを、ポケット１１の内面の曲率半径ｒの０．６倍以上１．２倍以下とすれば、保持器２４の重心Ｇの軸方向位置と剛性中心Ｓとが近い位置となるため、遠心力が保持器２４に作用しても弾性片１１ｂの径方向外方への変形が抑制される。ベース部２０の軸方向他端面とポケット１１の底部との間の長さ、すなわちベース部２０の厚さＢを大きくしていくと、保持器２４の重心Ｇの軸方向位置はベース部２０の軸方向他端面の方向へ移動し、前記軸方向距離Ａは大きくなる。すなわち、保持器２４の重心Ｇの軸方向位置が剛性中心Ｓに近づく。また、軌道面２１ａ，２２ａがオフセットされているため、前記軸方向距離Ａを大きくとることが可能となっている。【００６９】
前記軸方向距離Ａが曲率半径ｒの０．６倍未満であると、保持器２４の重心Ｇの軸方向位置に作用するモーメントが大きくなり、保持器２４に変形が生じるおそれがある。一方、前記軸方向距離Ａが曲率半径ｒの１．２倍超過であると、保持器２４の幅（軸方向長さ）が大きくなって、玉軸受がシール部材を有する場合には保持器２４とシール部材とが接触するおそれがある。また、玉軸受がシール部材を有していない場合でも、保持器２４が玉軸受の側面から外側に突出するおそれがある。このような不都合がより生じにくくするためには、前記軸方向距離Ａを曲率半径ｒの０．６５倍以上１．１倍以下とすることが好ましく、０．７５倍以上１．１倍以下がより好ましく、０．８５倍以上１．１倍以下がさらに好ましく、ｄｍｎ１００万を超える使用条件では、０．９倍以上１．１倍以下とするのが最も好ましい。【００７０】
第２実施例の玉軸受を回転させた際に保持器に作用する遠心力に基づくモーメントの大きさを計算した結果は、第１実施例における計算結果を示す図５のグラフと同様である。すなわち、図５のグラフに示されるように、前記軸方向距離Ａは、ポケットの内面の曲率半径の０．６倍以上であることが好ましく、０．６５倍以上であることがより好ましい。特に、ｄｍｎ１１３万、１７０万とｄｍｎが大きくなるほど、モーメント抑制効果は顕著である。【００７１】
図１６に示されるように、保持器２４は、その径方向厚さの中央位置が玉３の中心よりも径方向内方に位置するような構造としてもよい。このような構造を有することによって保持器２４の剛性が向上するため、遠心力による保持器２４の変形が抑制される。【００７２】
また、第１実施例と同様に、常温時の保持器２４の内径と内輪２１の外径との差（以下、径方向隙間）を、保持器２４が常温から−４０℃に温度変化して収縮した場合の保持器２４の内径の収縮量よりも大きくしてもよい。この構成によれば、軸受が常温から−４０℃に温度変化して保持器２４及び内輪２１が収縮しても、前記径方向隙間がゼロとならず、軸受がロックして回転しなくなることを防止できる。【００７３】
また、第１実施例と同様に、前記径方向隙間を、保持器２４の径方向のガタツキ量よりも大きくしてもよい。この構成により、保持器２４が径方向にガタついても保持器２４の内周面と内輪２１の外周面との接触を防止することできる。【００７４】
また、第１実施例と同様に、前記径方向隙間を、玉３の直径の０．１５倍以上としてもよく、０．２倍以上とすることがより好ましい。そうすれば、保持器２４の内周面と内輪２１の外周面との間に潤滑油が入り込みやすく、潤滑が不十分となりにくい（図１７及び１８参照）。したがって、第１実施例と同様に、２０℃において、前記径方向隙間を、内輪１の外径寸法の２％以上１０％以下としておくのが好ましく、より好ましくは２％以上７％以下とする。【００７５】
なお、軸受の軸方向端部としては、保持器２４のベース部２０のポケット１１が形成されている側の軸方向端面が向いている側の端部と、保持器２４のベース部２０のポケット１１が形成されていない側の軸方向端面が向いている側の端部とがある。図１７，１８においては、後者の端部の開口から潤滑油が軸受内部に導入される例が示されているが、反対側の端部の開口、すなわち前者の端部の開口から潤滑油が軸受内部に導入される場合も、上記と同様の効果が奏される。【００７６】
上述のように前記径方向隙間を十分に確保しても、図２０のような構造であると、大部分の潤滑油が保持器２４の内周面と内輪２１の外周面との間の隙間に辿り着く前に遠心力により径方向外方に流れるため、潤滑が不十分となるおそれがある。すなわち、図２０のように、軸受の軸方向端部と、保持器２４のベース部２０のポケット１１が形成されていない側の軸方向端面との間に形成される空間の軸方向長さＬが大きいと、潤滑が不十分となるおそれがある。【００７７】
したがって、保持器２４のベース部２０のポケット１１が形成されていない側の軸方向端面を、軸受の軸方向端部に近接させることが好ましい。具体的には、第１実施例と同様に、前記軸方向長さＬを玉３の直径の０．１５倍以下とすれば、図１９に示すように、保持器２４の内周面と内輪２１の外周面との間の隙間に潤滑油が入り込みやすく、潤滑が良好となる。より具体的には、前記軸方向長さＬは、５ｍｍ以下が好ましく、より好ましくは２ｍｍ以下である。ただし、内輪１もしくは外輪２の端面から保持器４が突出しないようにすることが好ましい。そのため、保持器４のポケット１１と玉３との間の隙間による動き量を含めて、前記軸方向長さＬを０．１ｍｍ以上２ｍｍ以下とすることが最も好ましい。【００７８】
図２１は、第２実施例の第１変形例を示す。第２実施例の第１変形例によれば、第１実施例の第１変形例と同様に、軸受の軸方向端部の近傍に、該軸方向端部の開口から軸受内部に潤滑剤を導く潤滑剤ガイド２５を設けられている。したがって、保持器２４の内周面と内輪２１の外周面との間に潤滑油が入り込みやすく、潤滑が不十分となりにくい。図２１の例であれば、板状の潤滑剤ガイド２５が軸受の軸方向端面に取り付けられており、軸心給油で供給された潤滑油が潤滑剤ガイド２５で軸受内部に向かう方向に反射されて、軸受の軸方向端部の開口から軸受内部に導入される。【００７９】
なお、潤滑剤ガイド２５と同様の構造の部材を、潤滑剤ガイド２５を設けた側とは反対側の軸方向端部（すなわち、潤滑剤が軸受内部から流出する側の端部）の近傍に設けてもよい。このように上記部材を軸方向両端部に設けても、同様の効果が得られる。また、この潤滑剤ガイド２５は、一般的なシールド板やシールなどにより構成することもできる。この場合は、シールド板やシールの内周面と内輪２１の外周面との間の隙間から、潤滑剤が導入されやすい。シールやシールド板等のシール部材は、軸方向両側に備えられていてもよいし、軸方向片側のみに備えられていてもよい。【００８０】
図２２は、第２実施例の第２変形例を示す。図２２に示される玉軸受において、潤滑剤は、軸受の軸方向一端部（保持器２４のベース部２０のポケット１１が形成されていない側の軸方向端面が向いている側の端部）の開口から軸受内部に導入され、軸方向他端部（保持器２４のベース部２０のポケット１１が形成されている側の軸方向端面が向いている側の端部）の開口から外部へ排出される。第２実施例の第２変形例によれば、第１実施例の第２変形例と同様に、外輪２２の肩の部分における外径は、潤滑剤導入側よりも潤滑剤排出側の方が大きい。したがって、軸受の潤滑剤導入側の軸方向端部の開口から軸受内部に潤滑剤が引き込まれやすくなり、軸受内部を通過する潤滑剤の量が増加する。【００８１】
なお、図２３に示される第２実施例の第３変形例のように、内輪２１の肩の部分における外径を、潤滑剤導入側よりも潤滑剤排出側の方が大きくしても、上記と同様の効果が得られる。また、内輪２１と外輪２２の両方について、肩の部分における外径を、潤滑剤導入側よりも潤滑剤排出側の方が大きくなるように設定してもよい。【００８２】
さらに、図２２及び２３においては、軸受の軸方向両端部のうち、保持器２４のベース部２０のポケット１１が形成されていない側の軸方向端面が向いている側の端部の開口から軸受内部に潤滑剤が導入される例が示されているが、反対側の端部の開口、すなわち、保持器２４のベース部２０のポケット１１が形成されている側の軸方向端面が向いている側の端部の開口から軸受内部に潤滑剤が導入される場合も、上記と同様の効果が奏される。【００８３】
上記第１実施例及び第２実施例のように、保持器４，２４の径方向厚さの中央位置が玉３の中心よりも径方向内方に位置させた場合、図２５に示すように、ポケット１１の内面の縁部（特に径方向内方側の縁部）は先鋭な形状（シャープエッジ）となり、ここに玉３が衝突するとシャープエッジ部が損傷して破片が脱落するおそれがある。【００８４】
脱落した破片が内輪１，２１と玉３との間、及び/或いは、外輪２，２２と玉３との間に挟み込まれると、内輪１，２１及び/或いは外輪２，２２、及び玉３に圧痕が生じ、軸受の寿命が短くなる。また、脱落する破片の量が多いと、ポケット１１の内面と玉３との間の隙間が大きくなり、軸受に有害な振動や騒音が発生するおそれがある。【００８５】
このような問題に対応するために、図２４に示すように、ポケット１１の内面の縁部（特に径方向内方側の縁部）を面取りして、ほぼ平坦な面取り部１１ｃを形成することが好ましい。面取りを施してあれば、シャープエッジ部がないので、破片が脱落するおそれがほとんどない。また、面取り部１１ｃを形成することにより、保持器４のポケット１１内に潤滑油が取り込まれやすくなる。よって、特に潤滑油で潤滑される軸受においては、面取り部１１ｃの形成により軸受の潤滑性能が向上するという効果が奏される。【００８６】
なお、保持器の構造が、その径方向厚さの中央位置が玉の中心と一致するような構造（図２６参照）である場合は、上記のように面取りを施すと、保持器の径方向の移動量が増加して、軸受に有害な振動や騒音が発生しやすくなる。【００８７】
ここで、シャープエッジ部の損傷による破片の脱落しやすさについて評価した結果を説明する。【００８８】
保持器の径方向厚さの中央位置が玉の中心よりも径方向内方に位置した軸受について、面取り量を種々変更し、回転による破片の脱落しやすさを調査した。すなわち、保持器の径方向厚さの中央位置と玉の中心との間の径方向距離をポケットの内面の曲率半径で除した値（以下、保持器の中心位置のズレ量）が０％、４．３％、及び１２．９％である軸受について、回転による破片の脱落しやすさを調査した。結果を図２７に示す。【００８９】
なお、面取り量とは、面取り部１１ｃの径方向長さＭをポケット１１の内面の曲率半径で除した値（単位は％）である（図２４参照）。また、破片の脱落しやすさとは、玉との接触によりポケットの内面の縁部に作用する応力値であり、保持器の中心位置のズレ量０％、面取り量０％の軸受の応力値を１とした場合の相対値で示してある。【００９０】
図２７のグラフから、保持器の中心位置のズレ量が大きいほど、破片が脱落しにくいことが分かる。また、少しでも面取りがあれば破片の脱落防止に効果があり、面取り量が２．５％以上であれば、十分に破片が脱落しにくいことが分かる。ただし、面取り量が５％を超えるとかえって破片が脱落しやすくなる場合もある。したがって、面取り量は、０．５％以上５％以下とするのが好ましく、２．５％以上４．５％以下とするのがより好ましい。【００９１】
保持器４，２４の径方向厚さが薄いなどの理由により保持器４，２４の内径が大きすぎると、保持器４，２４の径方向の移動量（ガタツキ量）が増加して、軸受に有害な振動や騒音が発生しやすくなる。よって、保持器４の内径を好適な値に設定することが好ましい。【００９２】
そこで、玉３とポケット１１の内面との接触点のうち径方向最内方側の接触点Ｐと、玉３の中心とを結ぶ仮想直線Ｌ１を引く。そして、この仮想直線Ｌ１と、径方向に直交する方向に延び玉３の中心を通る直線Ｌ２とがなす角度θをもって、保持器４の内径を規定する。このとき、保持器４の径方向の移動量を小さくするためには、角度θは２５°以上とすることが好ましく、３０°以上とすることがより好ましい。【００９３】
なお、ポケット１１の内面の縁部に面取りが施されている場合には、図２９に示すように、面取り部１１ｃの径方向最外方部が玉３と接触するので、該部分と玉３の中心とを結んで仮想直線Ｌ１を引く。また、その他の手段により、ポケット１１の内面の縁部の径方向内方側で保持器４の径方向位置を位置決めしている場合には、保持器４を径方向内方に移動させた際に最初に玉３に接触する部分と玉３の中心とを結んで仮想直線Ｌ１を引く。【００９４】
ここで、角度θと保持器の径方向の移動量との関係を評価した結果について説明する。ポケットの内面の曲率半径と玉の半径との比（ポケット曲率半径／玉半径）及び前記角度θが種々異なる軸受を用意して、回転時の保持器の径方向の移動量を調査した。ポケット曲率半径／玉半径は、１０１％、１０３％、１０６％の３種類とした。結果を図３０に示す。なお、保持器の径方向の移動量は、玉の直径に対する比（保持器の移動量／玉直径（単位は％））で示した。【００９５】
図３０のグラフから、角度θが２５°以上であると保持器の径方向の移動量が小さく、３０°以上であると保持器の径方向の移動量がより小さいことが分かる。しかしながら、角度θを大きくとりすぎると、保持器が内輪外周と接触しやすくなる。したがって、角度θは５０°以下、より好ましくは４０°以下とする。さらに具体的には、角度θを前記範囲とし、且つ、前述の通り、保持器内径と内輪外径の隙間が、内輪外径の２％以上１０％以下となっていることが好ましく、より好ましくは２％以上７％以下である。【００９６】
上述の第１実施例及び第２実施例の玉軸受は、ハイブリッド車用の駆動モータやジェネレータ（例えばオルタネータ）の回転軸を支承する玉軸受として好適である。よって、第１実施例及び第２実施例の玉軸受を組み込んだハイブリッド車用変速機は、高温，高速条件でも好適に使用可能である。
【実施例３】
【００９７】
図３１は、本発明の第３実施例に係る玉軸受を示す。図３１に示されるように、この玉軸受は、外周面に軌道面１ａ（軌道溝）を有する内輪３１と、内周面に軌道面２ａ（軌道溝）を有する外輪３２と、内輪３１の軌道面１ａと外輪３２の軌道面２ａとの間に転動自在に配置された複数の玉（鋼球）３と、玉３を円周方向に所定の間隔で保持する樹脂製の冠型保持器３４と、内輪３１と外輪３２の軸方向の一方の端面側に設けられた薄板よりなる環状の潤滑剤ガイド５と、を備えている。【００９８】
冠型保持器３４は、図３２に示すように、円環状のベース部４ａと、ベース部４ａの片方の軸方向端面に突設されて一定間隔で並ぶ複数の柱部４ｂと、隣接する柱部４ｂ間に確保された球面状内側面を有する球面ポケット４ｃと、を備える。冠型保持器３４は、玉３を各球面ポケット４ｃに収容することで、玉３を円周方向に所定の間隔で保持している。【００９９】
冠型保持器３４を構成する樹脂の例としては、４６ナイロンや６６ナイロンなどのポリアミド系樹脂、ポリブチレンテレフタレート、ポリフェレンサルサイド（ＰＰＳ）、ポリアミドイミド（ＰＡＩ）、熱可塑性ポリイミド、ポリエーテルエーテルケトン（ＰＥＥＫ）、ポリエーテルニトリル（ＰＥＮ）などが挙げられる。また、上記した樹脂に１０〜４０ｗｔ％の繊維状充填材（例えば、ガラス繊維や炭素繊維など）を適宜添加することにより、冠型保持器３４の剛性および寸法精度を向上させることができる。【０１００】
冠型保持器３４は、好ましくは多点ゲートの射出成形で製作する。そうすれば、冠型保持器３４の寸法精度を、１点ゲートのものに比べて向上させることができる。また、多点ゲートで製作することで、ウェルド部を保持器の最弱部位であるポケット底からずらすことができるので、ウェルド部による強度低下を防止できる。【０１０１】
この玉軸受は、軸受内部を潤滑するための潤滑油が、玉３に対して軸方向一方側Ｓ１から供給され、玉３に対して軸方向他方側Ｓ２から排出されるような環境下で使用される。冠型保持器３４は、ベース部４ａを軸方向一方側である潤滑油の供給側Ｓ１に向けるように配置されており、供給された潤滑油をベース部４ａの内周面に沿って、玉３と保持器３４の摺動部に導く。【０１０２】
外輪３２の潤滑油の供給側Ｓ１には、潤滑剤ガイド５が加締め固定されている。潤滑剤ガイド５は、外輪３２の外輪軌道面２ａの側方の肩部に形成された係合溝２ｂに外周端５ａを係合させることにより外輪３２に固定されており、潤滑剤ガイド部５ｂを内輪３１の内輪軌道面１ａの側方の肩部１ｂに向けて延ばしている。潤滑剤ガイド５の内周部５ｃと内輪３１の肩部１ｂの外周部との間に、潤滑油が供給される環状の開口部５１が形成される。【０１０３】
この場合、潤滑剤ガイド５の内周部５ｃと対向する内輪３１の肩部１ｂにはテーパ状の切欠き１ｃが設けられており、テーパ状の切欠き１ｃの外周面と潤滑剤ガイド５の内周部５ｃとの間に、潤滑油の供給される環状の開口部５１が形成される。このテーパ状の切欠き１ｃは、潤滑油の流入性向上のために、冠型保持器３４の球面ポケットの底よりも軸方向内側まで延びている。【０１０４】
図３３Ａに示されるように、冠型保持器３４の径方向幅の中央位置４ｈは、玉３の抱きかかえ量を増やすため、玉３の中心Ｏ３よりも軸受の内径側に偏っている。このように、保持器３４の径方向幅の中心が玉３の中心と一致する場合（図３３Ｂ参照）と比較して、冠型保持器３４を内径側に偏在させて、玉３の抱きかかえ量を大きくすると、冠型保持器３４が遠心力によって外側に広がるときに、保持器３４の内周部のエッジ４ｅと玉３との径方向隙間ｅ２を、図３３Ｂの隙間ｅ１より小さくできる。従って、外径側への保持器３４の変形を小さく抑えることができ、その結果、図３３Ｂのように抱え込み量が小さい場合よりも、捩れ変形を抑制でき、保持器３４の外輪３２との接触を防止できる。【０１０５】
また、内輪３１の外径面と保持器３４の内周部との距離が小さくなることにより、内輪３１の外径面が保持器３４の回転のガイド作用をなし、保持器３４の半径方向のガタを抑制して、保持器３４の振れ回りを防止する効果を期待できる。なお、通常回転時には、保持器３４は玉案内され、保持器３４と内輪３１は接触しないため、軸受トルクが増加することがない。また、保持器３４に衝撃力などの突発的な力が加わった場合には、保持器３４と内輪３１が接触する可能性があるが、その場合でも、保持器３４が外輪３２と接触する場合に比べて、軸受トルクの増加が少なくてすむ。なお、特に衝撃力が作用する条件下で使用される場合には、保持器３４の案内を玉案内から内輪案内に変更してもかまわない。【０１０６】
さらに、図３４Ａに示されるように、球面ポケット４ｃの内周部のエッジ４ｅには曲面が付けられている。上記したように、保持器３４の内径が小さくなると、図３４Ａの仮想線のように、球面ポケット４ｃの内周部のエッジ４ｅが鋭角的になり、この部分が摩耗しやすくなる。そこで、断面曲面状のエッジ４ｅとすることで、摩耗を防止することができる。なお、図３４Ｂや図３４Ｃに示すように、エッジ４ｅには、面取りが施されてもよく、また、これらの場合、玉３が保持器３４に接触しやすい球面ポケット４ｃの底や爪先端にのみ、部分的に曲面や面取りを設けてもよい。また、図３４Ｃに示す円筒形状の面取りの場合には、図３４Ａや図３４Ｂに示すような曲面や面取りに比べ、射出成形用の金型の製作が容易であり、コストが抑えられるためより好ましい。【０１０７】
また、図３１に示されるように、第３実施例の玉軸受では、玉３の中心Ｏ３が、内輪３１と外輪３２の軸方向幅の中心位置Ｃよりも、潤滑油の排出側Ｓ２に適当な寸法Ｆだけオフセットされている。このように玉３の位置を潤滑油の排出側Ｓ２にオフセットした場合、潤滑油の供給側Ｓ１に配設した潤滑剤ガイド５と玉３の間の軸方向距離が開く。従って、その分だけ、冠型保持器３４の球面ポケット４ｃの底厚Ｊ（ベース部４ａの肉厚）を大きく確保することができる。このように、保持器３４の球面ポケット４ｃの底厚Ｊを増やすと、それだけ冠型保持器３４の剛性アップを図ることができ、遠心力による捩れ変形を抑制する効果が高まる。【０１０８】
また、潤滑剤ガイド５の内周部には、軸受内部側に折り曲げられた折り曲げ壁５ｄが設けられている。このように軸受内部側に延びる折り曲げ壁５ｄを設けると、環状の開口部５１から流入した潤滑油が、遠心力により直ぐに外径側に向かわずに、折り曲げ壁５ｄに誘導されて、冠型保持器３４の内周部に向かうようになり、潤滑の必要な部位に積極的に潤滑油を流れ込ませることができる。【０１０９】
また、潤滑剤ガイド５の内周部５ｃの内径Ｄｓは、玉３の公転直径ＰＣＤ以下、より好ましくは、冠型保持器３４の内径Ｄｈ以下としている。【０１１０】
また、環状の開口部５１を形成している内輪３１の外周部と潤滑剤ガイド５の内周部５ｃとの最短距離ｙは、玉３の直径Ｄｗの９％以上、より好ましくは１１％以上に設定されている。この場合、最短距離ｙは、潤滑剤ガイド５の内径をＤｓ、内輪３１の肩部１ｂの外径をＤ１とした場合、
ｙ＝（Ｄｓ−Ｄ１）／２
となる。【０１１１】
第３実施例の玉軸受によれば、外輪３２に固定された潤滑剤ガイド５の内周部５ｃと内輪３１の外周部との間の軸方向供給側に、環状の開口部５１が形成されているので、その環状の開口部５１から軸受内部に潤滑油を導入することができる。そして、軸受内部に入り込んだ潤滑油は、冠型保持器３４の内径側に流入した後に、遠心力によって、玉３と保持器３４の摺動部に流れ込み、さらに遠心力によって流速を増した状態で、開放された内外輪１、２間の軸方向排出側の環状の開口部から軸受外部に排出される。なお、図３１中の矢印は潤滑油の流れを示している。【０１１２】
このように、軸受内部に供給された潤滑油が、遠心力によって、冠型保持器３４の内径側から玉３と保持器３４の摺動部に流れ込むため、潤滑ノズル等の余分なスペースやコストのかかる装置を使用せずに、高速回転時に発生しやすい玉３との摺動による保持器３４の摩耗を抑制することができる。その結果、冠型保持器３４の振れ回りを防止することができ、軸受の長寿命化を図ることができる。また、遠心力によって流速を増した状態で潤滑油を軸受外部に排出することができるので、潤滑油の入れ替わりを効果的に行うことができ、軸受の温度上昇およびトルク増加を防止することができる。【０１１３】
また、樹脂製の冠型保持器３４は射出成形が可能であるため、大量生産ができ、コストを抑制しながら、潤滑状態の改善を図ることができる。また、玉案内である冠型保持器３４は、低トルク化に寄与することができる。【０１１４】
また、潤滑剤ガイド５の内径Ｄｓを、冠型保持器３４の内径Ｄｈ以下とすることで、環状の開口部５１から軸受内部に入り込んだ潤滑油が、冠型保持器３４の内径側により確実に流入することができる。また、軸受内に過剰な潤滑材が入ることも防止できる。【０１１５】
また、冠型保持器３４の径方向幅の中央位置４ｈを、玉３の中心Ｏ３よりも軸受の内径側に偏らせているので、冠型保持器３４による玉３の抱え込み量を増やすことができ、冠型保持器３４の捩れ変形を抑制することができる。【０１１６】
また、玉３の中心Ｏ３を潤滑油の排出側Ｓ２にオフセットしているので、潤滑油の供給側Ｓ１に配置した潤滑剤ガイド５と玉３との間の距離を大きくとることができる。したがって、玉３と潤滑剤ガイド５との間隔が開くことにより、潤滑油の供給側Ｓ１を向いた冠型保持器３４のベース部４ａの軸方向の厚さ、つまり、球面ポケット４ｃの底厚Ｊを大きくすることができる。その結果、冠型保持器３４の剛性向上させることができ、冠型保持器３４の振れ回り変形を抑制することができる。【０１１７】
また、潤滑剤ガイド５が配設された側の内輪３１の肩部１ｂに、テーパ状の切欠き１ｃを設けているので、潤滑油の流入する環状の開口部５１を大きめに確保しつつ、潤滑剤ガイド５の内径Ｄｓを小さくすることができる。その結果、冠型保持器３４の内径側に潤滑油を確実に導入することができ、球面ポケット４ｃと玉３との摺動部へ潤滑油を導きやすくなる。【０１１８】
また、潤滑剤ガイド５の内周部５ｃに軸受内部側に延びる折り曲げ壁５ｄを設けているので、潤滑剤ガイド５の内周部５ｃと内輪３１の外周部との間に確保された環状の開口部５１から流入する潤滑油を、遠心力に負けずに、冠型保持器３４の内周部の方向に積極的に導くことができる。【０１１９】
また、冠型保持器３４の球面ポケット４ｃの内周部のエッジ４ｅに面取りまたは曲面が形成されるので、エッジ４ｅが玉３に接触した場合にも、保持器３４側の応力集中を緩和することができ、保持器３４の摩耗を減らすことができる。特に、冠型保持器３４の内径が小さくなった場合、エッジ４ｅがシャープになるが、そのエッジ４ｅに面取りまたは曲面を形成することにより、摩耗の軽減を図ることができる。【０１２０】
また、潤滑剤ガイド５の内径Ｄｓを玉３の公転直径ＰＣＤ以下、より好ましくは、冠型保持器の内径以下としているので、潤滑剤ガイド５により潤滑油を必要箇所に送り込む性能を向上させることができ、軸受の潤滑状態をよくすることができる。特に、内輪３１の外周部と潤滑剤ガイド５の内周部５ｃとの最短距離ｙを玉３の直径Ｄｗの９％以上とした場合は、冠型保持器３４の振れ回り低減を図ることができる。さらに、内輪３１の外周部と潤滑剤ガイド５の内周部５ｃとの最短距離ｙを玉３の直径Ｄｗの１１％以上とした場合は、より確実に冠型保持器３４の振れ回りを低減することができる。【０１２１】
図３５は、第３実施例の第１変形例に係る玉軸受を示す。この玉軸受では、外輪３２の内周部より内径側の潤滑剤ガイド５の外周近傍に、潤滑油の通過を許容する通孔５ｅが設けられている。このように構成することで、潤滑剤ガイド５の外周近傍に設けた通孔５ｅを通して潤滑油が自由に逃げることができるので、軸受内部外周側の軸受内部の領域Ｒにおいて、潤滑油の交換効率を上げることができ、その部分の発熱防止を図ることができる。その他の構成及び効果は、第３実施例のものと同様である。【０１２２】
図３６Ａ乃至３６Ｅは、第３実施例の第２乃至第６変形例に係る玉軸受を示す。なお、これら変形例の構成は、以下に説明する部分を除いて、第３実施例と同様の構成及び効果を有する。【０１２３】
図３６Ａの第２変形例に係る玉軸受は、内輪３１の肩部１ｂに、テーパ状の切欠き１ｃの代わりに、段差状の切欠き１ｄを設けている。【０１２４】
図３６Ｂの第３変形例に係る玉軸受は、内輪３１の肩部１ｂに、テーパ状の切欠き１ｃの代わりに、段差状の切欠き１ｄを設けている。さらに、折り曲げ壁５ｄは、冠型保持器３４のベース部４ａの内周側に入る位置まで延びている。【０１２５】
図３６Ｃの第４変形例に係る玉軸受は、内輪３１の肩部１ｂに、テーパ状の切欠き１ｃの代わりに、段差状の切欠き１ｄを設けている。ただし、潤滑剤ガイド５は、折り曲げ壁５ｄを有していない。この場合、折り曲げ壁５ｄがないので、環状の開口部５１から流入した潤滑油が、遠心力によって外径方向に行きがちである。しかしながら、環状の開口部５１から軸受内部に流入する時点で、潤滑油には運動エネルギーが付与されているので、十分に冠型保持器３４の内周部に潤滑油を導くことができる。【０１２６】
図３６Ｄの第５変形例に係る玉軸受は、内輪３１の肩部１ｂに切欠きが無い構成であり、冠型保持器３４の内周部と内輪３１の外径面が接近する。また、潤滑剤ガイド５は折り曲げ壁５ｄを有さない。【０１２７】
図３６Ｅの第６変形例に係る玉軸受は、内輪３１の肩部１ｂに切欠き１ｄが無い構成である。また、冠型保持器３４は、保持器３４の径方向幅の中心が玉３の中心と一致するものが使用され、冠型保持器３４の内周部と内輪３１の外径面との接触を抑制している。また、この保持器３４を使用することで、潤滑剤ガイド５の内径は、保持器３４の内径より小さくなり、保持器３４の内周側と内輪３１との間に潤滑油が通りやすくなる。【０１２８】
図３７Ａ乃至３７Ｄは、第３実施例の第７乃至第１０変形例に係る玉軸受を示す。例えば、第３実施例では、外輪３２の肩部に直接、潤滑剤ガイド５が取り付けられているが、図３７Ａ及び３７Ｂに示す第７及び第８変形例のように、外輪３２の外側面に側板３５、４５を配設して、その側板３５に設けた環状凸部３５ａや側板４５そのものを潤滑剤ガイドとして用いてもよい。また、図３７Ｃ及び３７Ｄに示す第９及び第１０変形例のように、外輪３２を固定するハウジング５０、６０に内向きフランジ部５５、６５を設け、そのフランジ部５５に設けた環状凸部３５ａやフランジ部６５そのものを潤滑剤ガイドとして用いてもよい。【０１２９】
このように構成することで、部品点数を削減することができ、また、潤滑剤ガイドの外周端を外輪の係合溝に加締める工程も省略でき、コストが削減できる。また、これら第７乃至第１０変形例では、外輪３２に潤滑剤ガイドが固定される構成と比べて、内輪３１と外輪３２との間の軸方向一方側にスペースを設けやすく、保持器３４のベース部４ａを厚くすることができる。【０１３０】
さらに、第３実施例では、潤滑剤ガイドとして、内輪３１の肩部１ｂの外周面と非接触なシールド板が使用されているが、接触シールを使用する場合には、潤滑剤ガイドの内周部側に供給孔が設けられてもよい。【０１３１】
また、使用される保持器としては、波型プレス保持器や２つの部材を係合してなる組み合わせ型の保持器など、他の保持器にも適用できる。【０１３２】
次に、図３８に示す玉軸受を用いて、保持器半径方向ガタ測定試験の例について述べる。なお、この玉軸受は、図３６Ｃに示す第４変形例に係るものと略同様の構成であり、試験１では、内輪３１の肩部１ｂの端部外径Ｄ１を変化させ、試験２では、潤滑剤ガイド１５の内径Ｄｓを変化させている。【０１３３】
＜試験１＞
本試験１では、潤滑剤ガイド１５の内径Ｄｓを５１．８ｍｍに固定し、内輪３１の肩部１ｂの端部外径Ｄ１を変化させることにより、ｙ／Ｄｗ（隙間／玉径）を変化させ、摩耗量の指針として、新品と比べた保持器半径方向ガタ増加量を調査した。なお、軸受構成及び試験条件は、以下の通りである。【０１３４】
＜軸受構成＞
・  軸受形式：６９０９（ＰＣＤ＝５６．５ｍｍ）
・  玉径：６．７ｍｍ
・  保持器：球面ポケットを有する冠型保持器
・  保持器材料：ガラス繊維２５％強化４６ナイロン
・  保持器ベース部と潤滑剤ガイドの潤滑剤ガイド部間の距離Ｄｂ：１ｍｍ
・  保持器内径Ｄｈ：５１．８ｍｍ
＜試験条件＞
・回転数：３００００ｒｐｍ
・給油温度：１２０℃
・潤滑方法ＶＧ２４の鉱油を強制潤滑給油（０．１Ｌ／ｍｉｎ）
・荷重：２５００Ｎ
・試験時間：２０Ｈｒ【０１３５】
結果は、表１及び図３９の通りであった。
【表１】
0005531966.tif 000002
【０１３６】
図３９に示した摩耗試験結果により、ｙ／Ｄｗが９％以上となると、玉軸受の振れ回り開始時間の向上がほぼ飽和し、ｙ／Ｄｗが１１％以上となると、振れ回り開始時間の向上が完全に飽和することが分かる。これより、ｙ／Ｄｗは９％以上、好ましくは１１％以上であると、振れ回り低減に対して大きな効果が得られることが検証された。また、ｙ／Ｄｗが３％以下だと、環状の開口部５１が狭すぎて、潤滑油が十分に供給できずに軸受が焼きついた。【０１３７】
＜試験２＞
本試験２では、図３８に示すような玉軸受において、内輪３１の外径Ｄ１を４８．４ｍｍに固定し、潤滑剤ガイド１５の内径Ｄｓを変化させ、摩耗量の指針として、新品と比べた保持器半径方向ガタ増加量を調査した。但し、ｙ／Ｄｗは、常に試験１において飽和領域となる１１％以上に設定している。なお、軸受構成及び試験条件は試験１と同様である。【０１３８】
結果は、表２及び図４０の通りであった。
【表２】
0005531966.tif 000003
【０１３９】
図４０に示した摩耗試験結果により、潤滑剤ガイドの内径を軸受ＰＣＤ以下にし始めた辺りから摩耗量が減少していることが分かる。これは保持器３４の間に潤滑油が流入し難くなり、潤滑油の多くが保持器３４の内径に流れ始めるからであると考えることができる。この効果は、潤滑剤ガイド１５の内径Ｄｓを保持器３４の内径Ｄｈ以下にするとほぼ飽和している。これらのことより、潤滑剤ガイド１５の内径Ｄｓは、軸受ＰＣＤ以下、好ましくは保持器３４の内径Ｄｈ以下にすべきであることが分かる。【０１４０】
＜試験３＞
次に、試験１に使用した軸受の中で最もガタが少なかった内輪外径４９．８ｍｍ、開口量１．０ｍｍ、ｙ／Ｄｗ１５％の軸受の寸法のうち、内輪及び外輪の軌道面の溝の曲率半径Ｒのみを変化させ、発熱量を比較した。試験条件は試験１と同様であり、２０時間後の外輪温度での比較である。図４１に、試験３の結果を示す。図４１のグラフにおいて、横軸は、Ｒｉ＝内輪の軌道面の溝の曲率半径Ｒ／玉径であり、縦軸は、Ｒｅ＝外輪の軌道面の溝の曲率半径Ｒ／玉径＝０．５２、及びＲｉ＝０．５２のときの発熱量を１．０とした場合の発熱量の比である。図４１に示した試験結果より、外輪の軌道面の溝の曲率半径Ｒにかかわらず、内輪の軌道面の溝の曲率半径Ｒが玉径の５３％以上（Ｒｉ≧０．５３）であれば、発熱が少なく良好である。【０１４１】
以上、本発明の実施例及びその変形例にについて説明したが、本発明は上述した実施例及びその変形例に限定されず、本発明の精神と範囲を逸脱することなく様々な変更や修正を加えることは当業者にとって明らかである。例えば、上述した実施例及びその変形例の各構成要素の材質、形状、寸法、数、配置箇所等は、適宜変更または修正可能である。【０１４２】
また、上述した実施例及びその変形例の特徴は、組み合わされてもよい。【０１４３】
また、上述した実施例及びその変形例では、玉軸受として深溝玉軸受を例示して説明したが、本発明は、他の種類の様々な玉軸受（例えば、アンギュラ玉軸受，自動調心玉軸受）に対して適用することができる。
【産業上の利用可能性】
【０１４４】
本発明は、高温及び高速条件でも好適に使用可能な玉軸受、及びハイブリッド車用変速機を提供する。
【図１】
0005531966.tif 000004
【図２】
0005531966.tif 000005
【図３】
0005531966.tif 000006
【図４】
0005531966.tif 000007
【図５】
0005531966.tif 000008
【図６】
0005531966.tif 000009
【図７】
0005531966.tif 000010
【図８】
0005531966.tif 000011
【図９】
0005531966.tif 000012
【図１０】
0005531966.tif 000013
【図１１】
0005531966.tif 000014
【図１２】
0005531966.tif 000015
【図１３】
0005531966.tif 000016
【図１４】
0005531966.tif 000017
【図１５】
0005531966.tif 000018
【図１６】
0005531966.tif 000019
【図１７】
0005531966.tif 000020
【図１８】
0005531966.tif 000021
【図１９】
0005531966.tif 000022
【図２０】
0005531966.tif 000023
【図２１】
0005531966.tif 000024
【図２２】
0005531966.tif 000025
【図２３】
0005531966.tif 000026
【図２４】
0005531966.tif 000027
【図２５】
0005531966.tif 000028
【図２６】
0005531966.tif 000029
【図２７】
0005531966.tif 000030
【図２８】
0005531966.tif 000031
【図２９】
0005531966.tif 000032
【図３０】
0005531966.tif 000033
【図３１】
0005531966.tif 000034
【図３２】
0005531966.tif 000035
【図３３Ａ】
0005531966.tif 000036
【図３３Ｂ】
0005531966.tif 000037
【図３４Ａ】
0005531966.tif 000038
【図３４Ｂ】
0005531966.tif 000039
【図３４Ｃ】
0005531966.tif 000040
【図３５】
0005531966.tif 000041
【図３６Ａ】
0005531966.tif 000042
【図３６Ｂ】
0005531966.tif 000043
【図３６Ｃ】
0005531966.tif 000044
【図３６Ｄ】
0005531966.tif 000045
【図３６Ｅ】
0005531966.tif 000046
【図３７Ａ】
0005531966.tif 000047
【図３７Ｂ】
0005531966.tif 000048
【図３７Ｃ】
0005531966.tif 000049
【図３７Ｄ】
0005531966.tif 000050
【図３８】
0005531966.tif 000051
【図３９】
0005531966.tif 000052
【図４０】
0005531966.tif 000053
【図４１】
0005531966.tif 000054
【図４２】
0005531966.tif 000055
【図４３】
0005531966.tif 000056
【図４４】
0005531966.tif 000057
【図４５】
0005531966.tif 000058
【図４６】
0005531966.tif 000059
【図４７Ａ】
0005531966.tif 000060
【図４７Ｂ】
0005531966.tif 000061
【図４８】
0005531966.tif 000062
【図４９Ａ】
0005531966.tif 000063
【図４９Ｂ】
0005531966.tif 000064